(57)【要約】【課題】  簡易な構造にてコードの噛み込みを防止できる回路基板の収容構造を提供する。【解決手段】  電子部品１１を実装する回路基板１と、回路基板１を収容するケース２と、回路基板１に接続されるコード３と、ケース２と回路基板１との間に介在する絶縁シート４と、を備え、絶縁シート４は、コード３を包むように折り曲げられてケース２内に収容される。    【選択図】図１
2018206999.tif 000002
【特許請求の範囲】
【請求項１】
電子部品を実装する回路基板と、
前記回路基板を収容するケースと、
前記回路基板に接続されるコードと、
前記ケースと前記回路基板との間に介在する絶縁シートと、
を備え、
前記絶縁シートは、前記コードを包むように折り曲げられて前記ケース内に収容される
ことを特徴とする回路基板の収容構造。
【請求項２】
前記ケースは、第１，第２のケースが嵌合して設けられ、
前記第１のケースには、前記回路基板の端部を臨むための開放部を有し、
前記第２のケースには、前記開放部を覆うようにして囲う
ことを特徴とする請求項１に記載の回路基板の収容構造。
【請求項３】
前記絶縁シートは、前記開放部側の前記コードに重なる片部が形成される
ことを特徴とする請求項２に記載の回路基板の収容構造。
【発明の詳細な説明】
【技術分野】
【０００１】
本発明は、回路基板の収容構造に関する。
【背景技術】
【０００２】
従来、各種電子部品をプリント配線したプリント基板（回路基板）はケース内に収納されるが、この場合ケース自体をアースとして利用するために、該ケースを金属体などの導電性材料により成形するのが一般的である。従ってプリント基板の銅箔（配線パターン）或いは電子部品端子とケースとの間に絶縁シートを介在させながら、プリント基板を収容保持する構造が知られており、例えば、特許文献１に開示されている。
【先行技術文献】
【特許文献】
【０００３】
【特許文献１】実開昭５８−１２９９０号公報
【発明の概要】
【発明が解決しようとする課題】
【０００４】
プリント基板には、外部入出力や、複数基板間の接続、接地などのために被膜コードからなる配線を用いることがあるが、このコードは、組み付けのためにある程度の長さが必要な場合があり、ケースを組み付ける際に、このコードがケース間に噛み込まないように、注意しながら組み付ける必要があった。
【０００５】
また、コードがケースに噛み込まないようにするため、専用にクランプ形状等の結束部材を用いることも考えられるが、部品点数が増えてしまうため、改善の余地があった。
【０００６】
そこで本発明の目的とするところは、上述課題に着目し、簡易な構造にてコードの噛み込みを防止できる回路基板の収容構造を提供することにある。
【課題を解決するための手段】
【０００７】
上記目的を達成するため、本発明に係る回路基板の収容構造は、
電子部品を実装する回路基板と、
前記回路基板を収容するケースと、
前記回路基板に接続されるコードと、
前記ケースと前記回路基板との間に介在する絶縁シートと、
を備え、
前記絶縁シートは、前記コードを包むように折り曲げられて前記ケース内に収容される
ことを特徴とする。
【０００８】
また、前記ケースは、第１，第２のケースが嵌合して設けられ、
前記第１のケースには、前記回路基板の端部を臨むための開放部を有し、
前記第２のケースには、前記開放部を覆うようにして囲う
ことを特徴とする。
【０００９】
また、前記絶縁シートは、前記開放部側の前記コードに重なる片部が形成される
ことを特徴とする。
【発明の効果】
【００１０】
本発明の回路基板の収容構造によれば、簡易な組み付け構造を提供できる。
【図面の簡単な説明】
【００１１】
【図１】本発明の実施形態における電子ユニットのケース組み付け前を示す図。
【図２】同上実施形態の絶縁シートの折り込み前を示す図。
【図３】同上実施形態の絶縁シートの折り込み後を示す図。
【発明を実施するための形態】
【００１２】
以下に、本発明の回路基板の収容構造について、電子ユニットに適用したものを実施形態として例にあげ、添付図面を用いて説明する。
【００１３】
電子ユニットＡは、回路基板１と、ケース２と、コード３と、絶縁シート４とを備える。
【００１４】
回路基板１は、ガラスエポキシ樹脂を用いた板状の基材に配線やランドなどの銅箔パターンが印刷形成されるプリント基板であり、詳細には図示しない、コンデンサや抵抗素子、コネクタなどの電子部品１１や、放熱用のフィン１２などが実装されている。この場合、回路基板１は、ケース２内に複数収容され、ケース２や回路基板１間のそれぞれにスペーサ５を介して離間して配置される。
【００１５】
ケース２は、金属材からなる導電性の板材をプレス加工によって所定形状にてなるものであり、図１に示すように、回路基板１保持用の第１のケース２１と、回路基板１を覆うようにして第１のケース２１とともに収容空間を形成するための第２のケース２２とが、嵌合し、さらにビス孔２ａに図示しないビスを用いて結合される。
【００１６】
第１のケース２１は、電子ユニットＡを固定保持するためのビス孔２１ａや、外部機器との電気的な接続を行うための配線を挿通するための配線孔２１ｂが形成されている。第１のケース２１は、回路基板１の端部を露出する開放部２１ｃを有し、回路基板１やコード３を組み付け易くしている。
【００１７】
第２のケース２２は、第１のケース２１に被せるように組み付けて、更にスライドさせることで、第１のケース２１に対する所定位置に導かれる。第２のケース２２のビス孔２ａは長穴形状としており、第１のケース２１のビス孔２ａにビスが挿通した状態であっても、組み付けできる。また、第２のケース２２は、電子ユニットＡ内外に空気を流動させるためのスリット２２ａによって、電子部品１１からの発熱を放出できるようにしている。
【００１８】
コード３は、回路基板１に接続される被膜コードであり、この場合、回路基板１間を接続するために設けられる。コード３は、回路基板１の開放部２１ｃ側に接続され、コード３の少なくとも一端は、コード３が接続される両回路基板１が第１のケース２１に組み付けられた状態で、第１のケース２１の開放部２１ｃを利用してコネクタ接続できる。
【００１９】
絶縁シート４は、合成樹脂等の電気絶縁性の軟材シートが用いられ、第１のケース２１側の回路基板１の略全面に対向して回路基板１と第１のケース２１との間に介在する。絶縁シート４は、第１のケース２１と回路基板１との離間を保つための複数のスペーサ５を挿通する孔４１が形成されて位置決め保持される。絶縁シート４は、第１のケース２１と回路基板１の実装面との距離が小さくても、回路基板１やこれに実装される電子部品１１と、導電性の第１のケース２１との電気的な絶縁を確保でき、小型化になる。なお、スペーサ５は、第１のケース２１から突出するボス形状と、別体の筒状の部材とで構成するが、回路基板１とケース２との離間距離を保持するとともに、絶縁シート４のシート面方向の位置決めができれば、他の構成であってもよい。
【００２０】
また、絶縁シート４は、図２に示すように、開放部２１ｃから延びる、片部４２を有している。この片部４２を、図３に示すように、第１のケース２１側に折り曲げることで、コード３を包み、コード３が開放部２１ｃからはみ出ることを防止できる。したがって、第２のケース２２を第１のケース２１に組み付ける際には、片部４２によってコード３を収めた状態でスライドを含む嵌合ができるため、コード３を抑え込むなどの作業が必要ない。また、絶縁シート４によって、コード３と回路基板１や電子部品１１との絶縁性を高めることができる。
【００２１】
また、コード３は、絶縁シート４と第１のケース２１との間において、更にボス状のスペーサ５間を通すようにして所望の経路へ導くことによって、開放部２１ｃから出にくくなる。また、絶縁シート４を、透明、または半透明なものを適用することによって、絶縁シート４の裏面側（第１のケース２１側）のコード３の位置や経路などを視認できるため、組み付け性を良好にする作用がある。
【００２２】
斯かる電子ユニットＡによれば、電子部品１１を実装する回路基板１と、回路基板１を収容するケース２と、回路基板１に接続されるコード３と、ケース２と回路基板１との間に介在する絶縁シート４と、を備え、絶縁シート４は、コード３を包むように折り曲げられてケース２内に収容される。
【００２３】
したがって、専用の結束部材を用いなくとも、簡易な構造にて、可撓性のコード３の位置を所望に規制できる。コード３を所望位置に収めることによって、例えば、ケース２の嵌め込みなど組み付け作業性を良好にできる。
【００２４】
また、ケース２は、複数のケース２１，２２が嵌合して設けられ、第１のケース２１には、回路基板１の端部を臨むための開放部２１ｃを有し、第２のケース２２には、開放部２１ｃを覆うようにして囲うことによって、第１のケース２１への絶縁シート４や回路基板１、コード３などの組み付け作業性を良くし、更に、このための開放部２１ｃを覆い塞ぐ作業性も絶縁シート４により良くできる。
【００２５】
また、絶縁シート４は、開放部２１ｃ側のコード３に重なる片部４２が形成されることによって、絶縁シート４の折り曲げ作業を容易にできる。
【００２６】
なお、本発明の回路基板の収容構造を上述した実施の形態の構成にて例に挙げて説明したが、本発明はこれに限定されるものではなく、他の構成においても、本発明の要旨を逸脱しない範囲において種々の改良、並びに表示の変更が可能なことは勿論である。
【産業上の利用可能性】
【００２７】
本発明は、回路基板の収容構造に関し、例えば、電動設備や、情報管理設備、遠隔操作設備などの電子ユニットとして好適である。
【符号の説明】
【００２８】
Ａ    電子ユニット
１    回路基板
１１  電子部品
２    ケース
２１  第１のケース
２２  第２のケース
２１ｃ  開放部
３    コード
４    絶縁シート
４１  片部
【図１】
2018206999.tif 000003
【図２】
2018206999.tif 000004
【図３】
2018206999.tif 000005